(57)【要約】【課題】ユーザの操作性の観点から、ユーザの身長などに応じて画像処理装置の操作パネルのみを昇降させることが行われている。しかし、操作パネルをユーザの身長に合った高さに昇降させると、操作パネルが前カバーの前方等に位置して、ジャム処理の際に前カバーを開けることができないことがある。【解決手段】本発明の画像処理装置は、機器本体のジャムを検知するジャム検知手段と、通常は、機器本体に移動可能に設置された移動式操作パネルをユーザの操作に適する位置に移動させ、ジャムの検知がされたとき、上記移動式操作パネルを待避位置に移動させる移動手段を備える。ジャムの検知がされたときは、移動式操作パネルが待避位置に移動するので、移動式操作パネルは前カバーを開ける邪魔とならない。また、移動式操作パネルを前カバーに設置して、移動式操作パネルの位置に関係なく、前カバーを開けることができるようにしてもよい。【選択図】  図１
2006010867.tif 000002
【特許請求の範囲】
【請求項１】
機器本体に移動可能に設置された移動式操作パネルと、ユーザの操作に適する位置に上記移動式操作パネルを移動させるパネル移動手段とを備えた画像処理装置において、
上記機器のジャムを検知するジャム検知手段を備え、
上記移動手段は、ジャムが検知されると、ユーザの操作に適する位置でなく、ジャム処理の邪魔にならない待避位置に上記移動式操作パネルを移動させることを特徴とする画像処理装置。
【請求項２】
機器本体の前カバーに移動可能に設置された移動式操作パネルと、
ユーザの操作に適する位置に上記移動式操作パネルを移動させるパネル移動手段とを備えたことを特徴とする画像処理装置。
【発明の詳細な説明】
【技術分野】
【０００１】
本発明は、移動式操作パネルを備えた画像処理装置に関し、特に、ジャム処理が発生すると、ジャム処理の邪魔とならない位置に移動式操作パネルを移動させる画像処理装置に関する。
【背景技術】
【０００２】
通常、画像処理装置等の操作パネルは固定されているため、身長の高い人、子供、車椅子利用者など、特定のユーザにとっては操作し辛い場合があった。そこで、全てのユーザが、操作パネルを容易に操作できるように考慮された自動昇降装置が特開平９−１１０３９９号公報に開示されている。この自動昇降装置は、ユーザの身長を検知する手段を備え、ユーザの身長に基づいて機器全体や操作パネルのみの高さを自動的に変更するようになっている。
【特許文献１】特開平９−１１０３９９号
【発明の開示】
【発明が解決しようとする課題】
【０００３】
ユーザの操作性の観点からは、機器全体の昇降又は操作パネルのみの昇降のどちらの技術でも同じ効果を得ることができるが、電力消費量等を考慮すると、機器全体を昇降させることに比べて操作パネルのみを昇降させる方が好ましい。しかし、操作パネルのみをユーザの身長に合った高さに昇降するようにすると、例えば、ジャム処理の際に前カバーを開けようとすると、前カバーの前方に操作パネルが位置して、前カバーを開けることができないことが想定される。
【０００４】
そこで、本発明は、ユーザの操作に適する位置に操作パネルを自動的に移動でき、かつ、操作パネルがジャム処理時の前カバーの開閉を邪魔しないようにした画像処理装置を提供することを目的とする。
【課題を解決するための手段】
【０００５】
本発明の画像処理装置は、機器本体のジャムを検知するジャム検知手段と、通常は、機器本体に移動可能に設置された移動式操作パネルをユーザの操作に適する位置に移動させ、ジャムの検知がされたとき、上記移動式操作パネルを待避位置に移動させる移動手段を備える。
【０００６】
上記待避位置とは、例えば機器に開閉可能に取り付けられた前カバー等の前方など、前カバー等の開閉を邪魔しない位置である。
【０００７】
また、移動式操作パネルを前カバーに設置してもよい。前カバーに移動式操作パネルを設置すると、移動式操作パネルは前カバーと一体となって動くので、移動式操作パネルが前カバーの開閉の邪魔となることがない。
【発明の効果】
【０００８】
以上のように、本発明の画像処理装置は、ジャムが発生すると、移動式操作パネルが前カバーの開閉の邪魔とならない位置に移動するので、ユーザは前カバーを開けて速やかにジャム処理をすることができる。
【０００９】
また、移動式操作パネルを前カバーに設置した場合、移動式操作パネルの位置に関係なく前カバーを開けることができる。
【発明を実施するための最良の形態】
【００１０】
図１（ａ）は、本実施の形態の画像処理装置１００の側面図であり、図１（ｂ）は、本実施の形態の画像処理装置１００の正面図である。図１（ａ）、図１（ｂ）に示すように、画像処理装置１００は、プラテンカバー１０１、原稿台１０２、前カバー１０３、給紙カセット１０４を備えている。画像処理装置１００の正面の前カバー１０３の横には、鉛直方向に伸縮可能な支持軸１０５が上下２つの支持部１０６を介して設置されている。
【００１１】
上記支持軸１０５は、図２に示すように、レール２０１と、上記支持部１０６に対して昇降可能に支持され、上記レール２０１に沿って昇降する移動体２０２とで構成されている。上記移動体２０２の昇降は、モータ２０３によって駆動されている。
【００１２】
上記移動体２０２の上端には、移動式操作パネル１０７が設置されている。上記移動式操作パネル１０７の表面は、図示しない液晶モニタ、テンキー等のハードキー等が備えられ、また、上記移動式操作パネル１０７の内部には、ユーザの高さ（例えば、身長）を検知する反射型の高さ検知センサ１０８が設けられている。
【００１３】
また、上記支持軸１０５の横側には、画像処理装置１００の前方に投光して、画像処理装置１００の正面からユーザまでの距離を測定する反射型の距離センサ１０９が備えられている。
【００１４】
画像処理装置１００には、図３に示すように、給紙部及び転写部等で発生するジャムを検知するジャム検知手段３０１が備えられている。このジャム検知手段３０１は、画像処理装置１００の電源がオンされている間、ジャムの検知を行っている（図４、Ｓ３０１→Ｓ３１１）。上記ジャム検知手段３０１は、ジャムを検知すると、警告音等を発してその旨をユーザに報知するようになっている。
【００１５】
画像処理装置１００においては、上記移動式操作パネル１０７の昇降は移動手段３０２が行っている。上記移動手段３０２は、上記ジャム検知手段３０１によってジャムが検知されていないときは、上記移動式操作パネル１０７を、ユーザの操作に適した位置に昇降にさせる（図４、Ｓ３０２、Ｎ）。
【００１６】
即ち、ユーザが画像処理装置１００でコピーやファックスするために一定距離以上画像処理装置１００に接近したことを上記距離センサ１０９が検知すると（図４、Ｓ３０３、Ｙ）、上記移動手段３０２は、高さ検知センサ１０８の投光する角度を変化させてユーザの高さを検知する（図４、Ｓ３０４）。ユーザの高さを検知すると、上記移動手段３０２は、移動式操作パネル１０７の現在位置を上記モータ２０３の回転数をカウントするロータリエンコーダ２０４が出力する値に基づいて検知する。上記移動手段３０２は、上記移動式操作パネル１０７の現在位置を検知すると、この現在位置が、ユーザの高さに応じた操作に適した位置かどうかを判断する（図４、Ｓ３０５）。
【００１７】
上記移動手段３０２は、上記移動式操作パネル１０７の現在位置が操作に適した位置でないと判断すると、上記移動体２０２を昇降させて上記移動式操作パネル１０７を操作に適した位置に移動させる（図４、Ｓ３０５、Ｙ→Ｓ３０６）。
【００１８】
一方、上記移動手段３０２は、上記移動式操作パネル１０７の現在位置が操作に適した位置であると判断すると、上記移動式操作パネル１０７を昇降させずに、その場にとどまらせる（図４、Ｓ３０５、Ｎ）。
【００１９】
以上のようにして、ユーザの身長に応じて移動式操作パネル１０７が移動するので、どのようなユーザであっても、移動式操作パネル１０７が操作し易くなる。
【００２０】
一方、電源がオンの時に上記ジャム検知センサ３０１がジャムを検知した場合、上記移動手段３０２は、まず、ロータリエンコーダ２０４の出力する値に基づいて、移動式操作パネル１０７の現在位置がジャム処理の邪魔とならない待機位置かどうかを判断する（図４、Ｓ３０７）。
【００２１】
ジャム処理の邪魔とならない待機位置とは、例えば、図５に示すように前カバー１０３より高い位置など、前カバー１０３を開けようとすると、上記移動式操作パネル１０７が前カバー１０３と接触することがない位置である。
【００２２】
上記移動手段３０２は、上記待機位置に移動式操作パネル１０７が位置していると判断すると、上記高さ検知センサ１０８の検知結果に関係なく、移動式操作パネル１０７の現在位置を記憶して強制的に上記待機位置に移動させる（図４、Ｓ３０８）。移動式操作パネル１０７が待機位置に移動することで、上記ジャム検知手段３０１からジャムの発生が報知されると、ユーザは前カバー１０３を開けて速やかにジャム処理を行うことができる。
【００２３】
ジャムが解消したことを上記ジャム検知手段３０１が検知すると、上記移動手段３０２は、待機位置に移動する前に記憶した位置に上記移動式操作パネル１０７を移動させる（図４、Ｓ３０９→Ｓ３１０）。
【００２４】
ジャムが解消されると、移動式操作パネル１０７が元の位置に自動的に戻ることで、ジャム処理後、ユーザは操作し易い位置で移動式操作パネル１０７を操作することができる。
【００２５】
一方、ステップ３０７において、移動式操作パネル１０７の現在位置が上記待機位置と判断した場合、上記移動手段３０２は、移動式操作パネル１０７を移動させずにそのまま待機位置にとどまらせる。
【００２６】
（実施の形態２）
本実施の形態の画像処理装置１００は、図６に示すように、上記支持軸１０５が上下２つの支持部１０６を介して前カバー１０３の前面に設置され、この支持軸１０５の上端に上記移動式操作パネル１０７が設置されている。本実施の形態の支持軸１０５の構成は、実施の形態１と同じである。
【００２７】
本実施の形態の画像処理装置１００は、実施の形態１に記載の画像処理装置１００と同様に、移動式操作パネル１０７に高さセンサ１０８が内蔵され、画像処理装置１００の前面に距離センサ１０９が備えられている。
【００２８】
本実施の形態の画像処理装置１００は、ユーザの高さに応じて移動式操作パネル１０７が移動するようになっている点は実施の形態１に記載の画像処理装置１００と同様であるが、ジャムが検知されても移動式操作パネル１０７を待機位置に移動する構成については採用していない。
【００２９】
これは、前カバー１０３の開閉と連動するように移動式操作パネル１０７が設置されているので、移動式操作パネル１０７が前カバー１０３の前方に位置しているときに前カバーを開けても、前カバーと移動式操作パネル１０７が一体となって動き、前カバーが移動式操作パネル１０７を開けることを邪魔することがないので、移動式操作パネル１０７を待避位置に移動させなくても、前カバー１０３を開けることができるからである。
【図面の簡単な説明】
【００３０】
【図１】画像処理装置の側面図及び正面図。
【図２】支持軸及び移動式操作パネルの拡大図。
【図３】画像処理装置の機能ブロック図。
【図４】移動式操作パネルの移動のフロー図である。
【図５】移動式操作パネルが待避位置に移動した画像処理装置の正面図
【図６】画像処理装置の側面図及び正面図。
【符号の説明】
【００３１】
１００  画像処理装置
１０３  前カバー
１０５  支持軸
１０６  支持部
１０７  移動式操作パネル
１０８  高さ検知センサ
１０９  距離センサ
３０１  ジャム検知手段
３０２  移動手段
【図１】
2006010867.tif 000003
【図２】
2006010867.tif 000004
【図３】
2006010867.tif 000005
【図４】
2006010867.tif 000006
【図５】
2006010867.tif 000007
【図６】
2006010867.tif 000008